(57)【要約】【課題】取り付け状態において固定用のクサビ部材先端が足場の外方に大きくはみ出すことがなく、クサビ部材とともに支柱を固定する包囲部の小型化が図れる建築足場用幅木を提供すること。【解決手段】建築足場の一部を構成する踏み板３３の縁部に沿った足元位置に配置される建築足場用幅木において、所定間隔を空けて配置された左右の支柱３１ａ，３１ｂ間に幅木本体４を配置し、幅木本体４をその左右に配置されたクサビ固定部７とフック２３によって支柱３１ａ，３１ｂに係合させる。クサビ固定部７の包囲部１３ａによって支柱３１ｂの外周の一部を包囲し、踏み板３３側からクサビ板８を打ち込む。クサビ板８は湾曲しているため、外方に大きく飛び出すことはなく、包囲部１３ａにクサビ板８を圧接させた際の圧接方向が支柱３１ａ，３１ｂ間を結ぶ直線と略直交する。【選択図】図８
2010229773.tif 000002
【特許請求の範囲】
【請求項１】
所定間隔で立設配置された複数の支柱と、同支柱と交差するように配設された複数の梁部材と、同梁部材又は同支柱に対して架設された通路用の踏み板とから基本的骨格が構築された建築足場であって、同建築足場における前記踏み板の縁部に沿った足元位置に配置され、
所定間隔を開けて配置された第１及び第２の前記支柱間に配置される幅木本体と、前記第１の支柱と係合可能な前記幅木本体の長手方向の一端又は一端付近に形成された第１の係合部材と、前記第２の支柱と係合可能な前記幅木本体の長手方向の他端又は他端付近に形成された第２の係合部材とを備える一方、前記第１の係合部材は前記第１の支柱の外周の一部分を包囲する包囲部と、同包囲部に隣接した位置で保持部材に対して進退可能に遊嵌状態に保持されるとともに第１及び第２の移動規制部間に配置され、同包囲部の前方空間に向かって進出する際には同包囲部に対して前記第１の支柱の外径分の距離以下に接近しうる先細りに形成されたクサビ部材とを備え、
前記第１の支柱の外周の一部分が包囲部に包囲された状態で前記クサビ部材を打ち込み同クサビ部材の進出に伴う押圧力によって同第１の支柱を前記包囲部方向に圧接させ、もって同第１の係合部材を同第１の支柱に対して固定するようにした建築足場用幅木において、
前記クサビ部材は前記第１の移動規制部及び前記第１の支柱と接触する側が内湾側となり、前記第２の移動規制部と接触する側が外湾側となるように平面視において湾曲形状をなし、前記包囲部に対して前記クサビ部材を圧接させた際の圧接方向が第１及び第２の前記支柱間を結ぶ直線と略直交することを特徴とする建築足場用幅木。
【請求項２】
前記第２の移動規制部の配置位置は変更可能であり、変更前と変更後で前記第２の移動規制部によって規制される前記クサビ部材の進出方向が異なることを特徴とする請求項１に記載の建築足場用幅木。
【請求項３】
前記包囲部は所定高さにおける所定幅で前記第１の支柱の外周に接するとともに、前記クサビ部材は前記包囲部と垂直方向において同じ高さ内で前記第１の支柱の外周に接することを特徴とする請求項１又は２に記載の建築足場用幅木。
【請求項４】
前記保持部材は上下一対の板材であって、前記クサビ部材は同板材間に脱落不能に挟持されており、前記包囲部は同板材の側端面によって構成されていることを特徴とする請求項３に記載の建築足場用幅木。
【請求項５】
前記第２の移動規制部は前記保持部材の上下一対の板材間に保持されたピン部材であり、前記板材には同ピン部材を取り付けるための複数の透孔が形成されていることを特徴とする請求項４に記載の建築足場用幅木。
【請求項６】
前記第２の移動規制部は前記保持部材の上下一対の板材間に挿通されるピン部材であり、前記板材には同ピン部材をスライド移動させて所定の位置に固定させるための案内長孔が形成されていることを特徴とする請求項４に記載の建築足場用幅木。
【発明の詳細な説明】
【技術分野】
【０００１】
本発明は、建築足場の踏み板の縁部に沿った足元位置に配置されるに配設される足場用の幅木に関するものである。
【背景技術】
【０００２】
一般に建築現場等に仮設される建築足場は、所定の間隔で立設された支柱と、梁部材（手摺り、ブラケット等）とを縦横に組み合わせ梁部材に踏み板を架設することで基本的骨格が構築されている。作業者はこの踏み板上で作業をし、また踏み板上を移動する。建築足場の一例として特許文献１を挙げる。
しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏み板の外側に足を踏み外してしまうような場合がある。足場には支柱や手摺りがあるため作業者が落下するわけではないが、体勢が崩れて物が落下したりする原因ともなる。また、作業者の心理的にもこのような踏み外しがあると思うと作業に没頭できない可能性もある。
【０００３】
そのため、特許文献２のような建築足場用幅木が提案されている。この建築足場用幅木は作業者の足の踏み外しを防止できるとともに、脱着作業が容易なものである。この幅木の足場への具体的な取り付け方法は次の通りである。その図８〜図１０に示すように、一方のフック２１を一方の支柱３１ａ側に係合させ、他方の支柱３１ｂ側に配置される他方のクサビ固定部７のクサビ板８を叩き込むことでクサビ板８と第１の湾曲部１３とによって他方の支柱３１ｂを押圧して容易に足場に取り付けることができる。また、取り付けた状態でクサビ板８を逆側から叩くことでクサビ板８を緩めて建築足場用幅木を取り外すことができる。
【先行技術文献】
【特許文献】
【０００４】
【特許文献１】特開平７−５４４８０号公報
【特許文献２】特開２００５−１８８０２３号公報
【発明の概要】
【発明が解決しようとする課題】
【０００５】
ところが、上記特許文献２ではその図９及び図１０に示すように、クサビ板８を叩き込む方向は足場の内側から斜め外側方向となる。つまりクサビ板８は左右の支柱３１ａ，３１ｂを結ぶ直線に対して直交する方向から更に４５度程度外方向に振った方向に向かうこととなる。そしてクサビ板８の進出に伴って図１０のように支柱３１ｂは第１の湾曲部１３方向に圧接されることとなる。このようなクサビ板８の進出方向を前提とするため特許文献２のような建築足場用幅木では支柱３１ｂの押圧力を受ける第１の湾曲部１３を設けるためには固定部本体９は支柱３１ｂの側方にはみ出すように大きめに形成しなければならなかった。また、クサビ板８は斜め方向とはいえ足場の内側から打ち込むため、足場の外側に突出することとなる。
そのため、固定部本体９が大きくなってしまい建築足場用幅木においてクサビ固定部７の重量配分が大きくなってしまっていた。これは部材の材料費に反映され、なおかつ建築足場用幅木の重量化を招来することとなる。また、建築足場には安全のため全体をネットで包囲することがあるが、このように建築足場用幅木において固定部本体９やクサビ板８が張り出すとネットに引っ掛かってしまいネットが破損したりネットの着脱に支障が出たりする場合があった。
本発明は、上記課題を解決するためのものである。その目的は、取り付け状態において固定用のクサビ部材先端が足場の外方に大きくはみ出すことがなく、クサビ部材とともに支柱を固定する包囲部の小型化が図れる建築足場用幅木を提供することにある。
【課題を解決するための手段】
【０００６】
上記課題を解決するために、請求項１の発明では、所定間隔で立設配置された複数の支柱と、同支柱と交差するように配設された複数の梁部材と、同梁部材又は同支柱に対して架設された通路用の踏み板とから基本的骨格が構築された建築足場であって、同建築足場における前記踏み板の縁部に沿った足元位置に配置され、所定間隔を開けて配置された第１及び第２の前記支柱間に配置される幅木本体と、前記第１の支柱と係合可能な前記幅木本体の長手方向の一端又は一端付近に形成された第１の係合部材と、前記第２の支柱と係合可能な前記幅木本体の長手方向の他端又は他端付近に形成された第２の係合部材とを備える一方、前記第１の係合部材は前記第１の支柱の外周の一部分を包囲する包囲部と、同包囲部に隣接した位置で保持部材に対して進退可能に遊嵌状態に保持されるとともに第１及び第２の移動規制部間に配置され、同包囲部の前方空間に向かって進出する際には同包囲部に対して前記第１の支柱の外径分の距離以下に接近しうる先細りに形成されたクサビ部材とを備え、前記第１の支柱の外周の一部分が包囲部に包囲された状態で前記クサビ部材を打ち込み同クサビ部材の進出に伴う押圧力によって同第１の支柱を前記包囲部方向に圧接させ、もって同第１の係合部材を同第１の支柱に対して固定するようにした建築足場用幅木において、
前記クサビ部材は前記第１の移動規制部及び前記第１の支柱と接触する側が内湾側となり、前記第２の移動規制部と接触する側が外湾側となるように平面視において湾曲形状をなし、前記包囲部に対して前記クサビ部材を圧接させた際の圧接方向が第１及び第２の前記支柱間を結ぶ直線と略直交するようにしたことをその要旨とする。
請求項２の発明では請求項１に記載の発明の構成に加え、前記第２の移動規制部の配置位置は変更可能であり、変更前と変更後で前記第２の移動規制部によって規制される前記クサビ部材の進出方向が異なることをその要旨とする。
請求項３の発明では、請求項１又は２に記載の発明の構成において、前記包囲部は所定高さにおける所定幅で前記第１の支柱の外周に接するとともに、前記クサビ部材は前記包囲部と垂直方向において同じ高さ内で前記第１の支柱の外周に接することをその要旨とする。
請求項４の発明では、請求項３に記載の発明の構成において、前記保持部材は上下一対の板材であって、前記クサビ部材は同板材間に脱落不能に挟持されており、前記包囲部は同板材の側端面によって構成されていることをその要旨とする。
請求項５の発明では、請求項４に記載の発明の構成において、前記第２の移動規制部は前記保持部材の上下一対の板材間に保持されたピン部材であり、前記板材には同ピン部材を取り付けるための複数の透孔が形成されていることをその要旨とする。
請求項６の発明では、請求項４に記載の発明の構成において、前記第２の移動規制部は前記保持部材の上下一対の板材間に挿通されるピン部材であり、前記板材には同ピン部材をスライド移動させて所定の位置に固定させるための案内長孔が形成されていることをその要旨とする。
【０００７】
このような構成において建築足場用幅木を踏み板の縁部に沿った足元位置に配置させる場合には幅木本体の他端側の第２の係合部材をまず第２の支柱に係合させ、一端側の第１の係合部材を第１の支柱の側方から第１の支柱に接近させる。第１の係合部材の包囲部が第１の支柱の外周の一部分と接する位置（あるいは近傍位置）に配置されるとクサビ部材を打ち込む。クサビ部材は凹面側が第１の移動規制部と接し、凸面側が第２の移動規制部と接しながら両移動規制部に案内されながら第１の支柱を巻き込むように進出して行く。ある進出位置で凹面側が第１の支柱と接すると、更なる進出に伴って同支柱を包囲部方向に押圧する（相対的にみれば第１の支柱によってクサビ部材が押圧されるともいえる）。第１の支柱と包囲部とはクサビ部材の進出に伴う押圧力によって圧接させられる。クサビ部材の打ち込みが終了した状態ではクサビ部材及び包囲部の第１の支柱に対する圧接方向は第１及び第２の前記支柱間を結ぶ直線と略直交している。
【０００８】
また、第２の移動規制部の配置位置は変更可能であり、変更前と変更後で前記第２の移動規制部によって規制される前記クサビ部材の進出方向が異なることが好ましい。第２の移動規制部の配置位置が支柱側に移動すれば第２の移動規制部に案内されて進出するクサビ部材はその移動に応じてより内側方向に変位して進出することとなる。その結果、径の異なる支柱にも対応することができる。
より具体的には保持部材を上下一対の板材とし、クサビ部材をその板材間に脱落不能に挟持させ、移動規制部はを保持部材の上下一対の板材間に保持されたピン部材として板材にピン部材を取り付けるための複数の透孔が形成させ、支柱に応じてピン部材の位置を変更することが考えられる。あるいは、板材にはピン部材をスライド移動させて所定の位置に固定させるための案内長孔が形成するようにしてもよい。案内長孔であれば任意の位置にピン部材を停止させることができる。
【０００９】
また、包囲部は所定高さにおける所定幅で前記第１の支柱の外周に接するとともに、クサビ部材は包囲部と垂直方向において同じ高さ内で第１の支柱の外周に接するような構成が好ましい。これは要は包囲部とクサビ部材が上下方向にずれずに同じ高さで第１の支柱を圧接させることである。例えば上記特許文献２ではクサビ部材が包囲部と上下に完全にずれた位置に配置されているため、クサビ部材を打ち込んで包囲部との間で第１の支柱を圧接する際にその圧力が分散してしまうこととなり固定力が十分でない場合が発生する可能性があった。しかし、このように同じ高さであれば圧力が分散されることを防止することができる。包囲部とクサビ部材は一方の上下幅（厚み）内に他方の上下幅が含まれることが好ましい。より具体的には保持部材を上下一対の板材とし、クサビ部材が同板材間に脱落不能に挟持されており、前記包囲部は同板材の側端面によって形成されるような構成が好ましい。
【発明の効果】
【００１０】
上記各請求項の発明のように構成すれば、クサビ部材先端が足場の外側に大きく突出することはなく、また、クサビ部材が第１の支柱に圧接される際に１８０度対向位置にある包囲部が第１の支柱の外側方に大きくはみ出さないように構成することができるようになり、建築足場用幅木の軽量化や低コスト化に貢献する。
【図面の簡単な説明】
【００１１】
【図１】本発明の実施例の建築足場用幅木の内側から見た一部省略斜視図。
【図２】同じ建築足場用幅木の外側から見た一部省略斜視図。
【図３】同じ建築足場用幅木の一部省略正面図。
【図４】同じ建築足場用幅木の一部省略平面図
【図５】同じ建築足場用幅木において支柱に取り付けられた状態のクサビ固定部付近を説明する説明図。
【図６】同じ建築足場用幅木においてクサビ板の揺動範囲を説明する説明図。
【図７】同じ建築足場用幅木を建築足場に装着した状態を示す斜視説明図。
【図８】同じ建築足場用幅木を建築足場に装着した状態を示す平面図。
【図９】（ａ）は固定部本体の斜視図、（ｂ）はクサビ板の斜視図、（ｃ）はクサビ固定部の斜視図。
【図１０】同じ建築足場用幅木においてリベット位置を変更して径の小さな支柱に取り付けられた状態のクサビ固定部付近を説明する説明図。
【図１１】同じ建築足場用幅木の取り付け途中の状態を説明する説明図。
【図１２】同じ建築足場用幅木のクサビ板を打ち込む直前の状態を説明する説明図。
【図１３】同じ建築足場用幅木の固定状態を説明する説明図。
【図１４】他の実施例の建築足場用幅木において支柱に取り付けられた状態のクサビ固定部付近を説明する説明図。
【図１５】図１４の建築足場用幅木においてリベット位置を変更して径の小さな支柱に取り付けられた状態のクサビ固定部付近を説明する説明図。
【発明を実施するための形態】
【００１２】
以下、本発明の具体的な実施例を図面に基づいて説明する。
尚、以下の説明において内側又は前方とは図８のように踏板３３側を言い、外側又は後方とは同図における右方向を言うものとする。また、左とは図３における左側を、右とは同図における右側を言うものとする。
図１〜図７に示すように、建築足場用幅木（以下、単に幅木という）１は一定の厚みの鋼板の上下端縁を同方向にチャンネル状に屈曲させた屈曲部２ａ，２ｂを有する屈曲板２の左右両端に補強プレート３を固定した長方形形状（長尺）の幅木本体板４を主要構成の一部として備えている。
【００１３】
幅木本体板４の上端縁部（屈曲部２ａ）の右端部寄りには第１の係合部材としてのクサビ固定部７が配設されている。クサビ固定部７はクサビ部材としてのクサビ板８と同クサビ板８が保持される固定部本体９から構成されている。
図９（ａ）〜（ｃ）に示すように、固定部本体９は一定の厚みの鋼板を屈曲させた書類収納ケース風の外観とされている。固定部本体９は上方側に水平に配置される上部水平板１０と、下方側に水平配置される下部水平板１１と、上部水平板１０と下部水平板１１の基部寄りを連結する連結部１２とから構成されている。図３に示すように、固定部本体９は幅木本体板４の上部（屈曲板２の上端）に下部水平板１１を介して溶着されている。
両水平板１０，１１は対称形状に構成され、図５及び図６に示すように台形幅広の保持部１４を備えている。保持部１４から側方へは一体的かつ連続的に延出される保持部１４よりも幅狭が延出部１３とされている。延出部１３の外側端面は湾曲状に形成された包囲部１３ａとされている。保持部１４の連結部１２寄り部分には平面長方形形状に切り欠かれた切り欠き１５が形成されている。
【００１４】
図９（ｃ）に示すように、保持部１４領域には両水平板１０，１１の正対する４箇所位置に第１〜第４の挿通小孔１６ａ〜１６ｄが形成されている。第１の挿通小孔１６ａは切り欠き１５寄りであって延出部１３との境界付近に配置され、第２及び第３の挿通小孔１６ｂ、１６ｃは保持部１４の外側（切り欠き１５とは反対側）に配置されている。第２の挿通小孔１６ｂの方が第１の挿通小孔１６ａにより近い位置とされている。第４の挿通小孔１６ｄは第２及び第３の挿通小孔１６ｂ、１６ｃを挟んだ第１の挿通小孔１６ａの対向位置に配置されている。図１〜図３、図５及び図６に示すように、これらの挿通小孔１６ａ〜１６ｄのうち、第１の挿通小孔１６ａと第３の挿通小孔１６ｃと第４の挿通小孔１６ｄには第１〜第３のリベット１７〜１９が打ち込まれている。これら第１〜第３のリベット１７〜１９は固定部本体９の部水平板１０と下部水平板１１の間隔を一定に保持すると同時に第１及び第２のリベット１７，１８はクサビ板８がこれら第１及び第２のリベット１７，１８よりも内側あるいは外側に変位しないための移動規制部となる。
【００１５】
図４〜図６や図９（ｂ）に示すように、鋼製のクサビ板８は平面形状でバナナ状に湾曲された肉厚の外観のクサビ本体２０と、同クサビ本体２０の基部寄りに垂直に立ち上げられた脱落防止を兼ねた打ち込み部２１から構成されている。クサビ本体２０は湾曲形状とされているもののクサビ状に先端ほど先細りに構成されている。クサビ本体２０の先端寄り下面には脱落防止用の突起２２が突出形成されている。クサビ本体２０は固定部本体９の保持部１４における両水平板１０，１１間に若干の隙間をもって遊嵌状態に保持されている。クサビ本体２０の先端側は第１及び第２のリベット１７，１８から外方に突出され、基部側（打ち込み部２１側）は切り欠き１５位置において外方に突出されている。クサビ本体２０の内湾部２０ａはクサビ板８を内側に変位させた場合に第１のリベット１７と干渉しそれ以上内側に変位することはない。また、クサビ本体２０の外湾部２０ｂはクサビ板８を外側に変位させた場合に第２のリベット１８と干渉しそれ以上外側に変位することはない。更に、切り欠き１５の内側壁面１５ａによってクサビ板８の基部寄りの変位も規制されることとなる。つまり、クサビ板８（クサビ本体２０）先端の進出軌跡はこれら第１及び第２のリベット１７，１８及び内側壁面１５ａの３つの移動規制手段によって図６に示すように一定の進出状態において一定の揺動範囲に納まることとなっている。
幅木本体板４の上下端縁部（屈曲部２ａ，２ｂ）の左端部寄りには第２の係合部材としてのフック２３が配設されている。牛の角状のフック２３は幅木本体板４の左端部から外側に延出されている。フック２３は屈曲部２ａ，２ｂに対してリベット２４によって固定されている。
【００１６】
次に、このように構成された幅木１の使用方法の一例について説明する。
図７及び図８に示すように、建築現場においては所定の間隔で立設された複数の円柱形状の支柱３１と、同支柱３１に対して直行する方向に延出され同支柱３１に片持ち（もし支柱が前後に平行して配置されていれば両持ち）に支持された梁部材としての複数の円柱形状のブラケット３２とによって縦横に組まれた架構が構成される。そして、ブラケット３２に足場の各階の床面としての踏板３３をフック３４を介して架設させることで被建築物の外壁Ｅに沿って建築足場が構築されこととなる。踏板３３の長手方向縁部あるいは短手方向縁部のいずれにも配置可能であるが、ここでは幅木１は踏板３３の支柱３１寄り長手方向縁部に配設されるものとする。幅木１を装着する際の手順について説明する。
図１１に示すように、作業者は内側（踏板３３側）から幅木１を左右の支柱３１ａ，３１ｂに対して接近させていき、まずフック２３側を第２の支柱としての左側の支柱３１ａに係合させる。
【００１７】
次に、フック２３を支点として幅木１をクサビ固定部７側の外方に向かって回動させ、図１２に示すように固定部本体９の包囲部１３ａを第１の支柱としての右側の支柱３１ｂに係合させる。次いで、このようにフック２３と包囲部１３ａで位置決めした状態で図１３に示すようにクサビ板８を打ち込む。クサビ板８は進出に伴ってクサビ本体２０の内湾部２０ａが支柱３１ｂに当接し、支柱３１ｂは内湾部２０ａによって包囲部１３ａ方向に押圧されていくこととなる。これによってクサビ固定部７は支柱３１ｂに固定される。
このとき、図１３に示すように、内湾部２０ａから包囲部１３ａへの圧接方向（矢印Ａ）は左右の支柱３１ａ，３１ｂを結ぶ直線Ｂに対して略直交する。尚、ここで「略直交」とは本発明の目的から考えて包囲部１３ａ（延出部１３）を支柱３１ｂから大きくはみ出させない程度に直交状態となればよいという意である。
次に幅木１を取り外す場合にはクサビ板８を先端側から叩き、支柱３１ｂと包囲部１３ａに対する押圧力を開放する。次いでクサビ固定部７、フック２３の順に左右の支柱３１ａ，３１ｂから外していく。
【００１８】
次に、上記左右の支柱３１ａ，３１ｂの径をＬサイズとし、これらより若干小さな径のＭサイズの支柱３３に対してこの幅木１を取り付ける場合について説明する。
この場合には図１０に示すように第２のリベット１８を第３の挿通小孔１６ｃではなく第２の挿通小孔１６ｂに取り付けるようにする。これによってクサビ板８（クサビ本体２０）先端の進出軌跡は第２のリベット１８側が若干狭まり揺動範囲は上記よりも小さくなる。第３の挿通小孔１６ｃはリベットがあってもなくてもよいが（あっても、第２の挿通小孔１６ｂの方が第３の挿通小孔１６ｃよりも支柱側にあるため支障はない）ここではないものとする。
このようにリベット１８の取り付け位置を変更したクサビ固定部７を備えた幅木１を上記と同様の取り付け工程で支柱３３に固定するものとする。すると、クサビ板８はＬサイズの支柱３１ｂの圧接位置よりも若干内側に変位した位置において支柱３３を押圧することとなる。もし、このようにリベット１８の取り付け位置を変更しないでクサビ板８を進出させても支柱３３に対して十分な押圧力を発揮できずクサビ固定部７を支柱３３に固定することができなくなってしまう。一方、このようにリベット１８の取り付け位置を変更することでＭサイズの支柱３３に固定する場合であっても内湾部２０ａから包囲部１３ａ方向へしっかりと押圧でき、内湾部２０ａから包囲部１３ａへの圧接方向（矢印Ａ）は左右の支柱３３を結ぶ直線Ｂに対して略直交する。
【００１９】
このように構成することにより本実施例は以下のような効果を奏する。
（１）作業者が踏板３３の上を移動する場合又は作業中に足の位置を動かす場合において、上記実施例の幅木１が配設されていることにより踏板３３から足を踏み外しにくくなる。従って建築作業に集中でき、作業の効率化を図ることができる。
（２）片方の係合部材のみを固定する、つまりクサビ固定部７側のクサビ板８のみを打ち込むだけで幅木１を固定させることができるため、固定作業が簡単であり幅木１の設置における作業効率が向上する。
（３）クサビ板８が湾曲しているため、その先端が踏板３３の外側に大きく突出することがない。
（４）クサビ板８が湾曲しているため１８０度対向する包囲部１３ａへの圧接方向Ａは左右の支柱３１ａ，３１ｂを結ぶ直線Ｂに対して略直交するため固定部本体９において包囲部１３ａ（延出部１３）が支柱３１ｂからはみ出ることがない。
（５）径の異なるＭサイズの支柱３３に固定する場合には第２のリベット１８を第３の挿通小孔１６ｃではなく第２の挿通小孔１６ｂに取り付けるようにできるため、基準となるＬサイズの支柱３１ｂに対して小径の支柱の足場にも対応することが可能である。
（６）基準となるＬサイズの支柱３１ｂに対して小径の支柱の足場にも対応させる場合には第２のリベット１８を第３の挿通小孔１６ｃに取り付けたまま追加的に第２の挿通小孔１６ｂにリベットを取り付ければよいため、当初Ｌサイズの支柱３１ｂ用に用意した幅木１をＭサイズの支柱３３用に流用することが簡単にできる。
（７）クサビ板８は固定部本体９を構成する上部水平板１０と下部水平板１１に挟持され垂直方向において固定部本体９の厚み（高さ）内に納まるような配置状態とされている。つまり、上部水平板１０と下部水平板１１の一部で構成されている包囲部１３ａとクサビ板８とは上下にずれていないため、支柱３１ｂを押圧する際に押圧力が分散されることがなくしっかりと支柱３１ｂを押圧することができる。
【００２０】
なお、この発明は前記実施例に限定されるものではなく、次のように変更して具体化することも可能である。
・上記では複数の取り付け孔（挿通小孔１６ｂ，１６ｃ）を形成し、リベット１８の取り付け位置を変更することによって支柱の径サイズに応じた最適なクサビ板８の進出方向を変更するようにしていた。しかし、このような複数の取り付け孔ではなく図１４及び図１５のようにクサビ板８の外湾部２０ｂが当接して規制されるリベット１８の位置を長孔３５に沿って任意の位置に取り付けるようにしてもよい。
・上記では第１及び第２のリベット１７，１８によってクサビ板８の移動規制部としていたが、リベット以外の干渉部材、例えばボルト、ピン、釘等であっても構わない。
・幅木本体板４、固定部本体９、クサビ板８、フック２３の形状は上記実施例の形状に限定されるものではなく、その形状、大きさは本発明の趣旨を逸脱しない範囲において自由とする。
・幅木本体２、幅木本体１６等の各部材の材質は金属製としたが、本発明の目的を達成できればその他の素材でも構わない。
その他、本発明の趣旨を逸脱しない態様で実施することは自由である。
【符号の説明】
【００２１】
１…足場用幅木、４…幅木本体板、７…第１の係合部材としてのクサビ固定部、８…クサビ部材としてのクサビ板、９…固定部本体、１３ａ…包囲部、１４…保持部材のとしての保持部、１７…第１の移動規制部としてのリベット、１８…第２の移動規制部としてのリベット、２３…第２の係合部材としてのフック、３１（３１ａ，３１ｂ）…支柱、３２…梁部材としてのブラケット、３３…踏板。
【図１】
2010229773.tif 000003
【図２】
2010229773.tif 000004
【図３】
2010229773.tif 000005
【図４】
2010229773.tif 000006
【図５】
2010229773.tif 000007
【図６】
2010229773.tif 000008
【図７】
2010229773.tif 000009
【図８】
2010229773.tif 000010
【図９】
2010229773.tif 000011
【図１０】
2010229773.tif 000012
【図１１】
2010229773.tif 000013
【図１２】
2010229773.tif 000014
【図１３】
2010229773.tif 000015
【図１４】
2010229773.tif 000016
【図１５】
2010229773.tif 000017